(57)【要約】上側カバー（１）と装着基部（２）とレバー（３）とバネ（４）と回転シャフト（５）とを備える回転式スイッチの動作機構を提供する。本発明により、回転式スイッチの動作機構の実際位置ロック装置を、回転式スイッチの構造的な形状を変更することにより、回転式スイッチの体積を低減するとともに回転式スイッチの生産コストを下げることができる。
2019507949.tif 000002
【特許請求の範囲】
【請求項１】
回転式スイッチの動作機構であって、
前記動作機構は、上側カバー（１）と装着基部（２）とレバー（３）とバネ（４）と回転シャフト（５）とを備えており、
前記回転シャフト（５）は、前記装着基部（２）の回転シャフト取り付け溝（２０１）に装着されるとともに、前記回転シャフト取り付け溝（２０１）において回転可能であり、
前記バネ（４）は、前記回転シャフト（５）の内部空洞部の溝（５０１）に装着されており、
前記バネ（４）の端部は、前記溝（５０１）におけるストッパー（５０１ａ）と当接しており、
前記回転シャフト（５）の上端面には開口スロット（５０２）が形成されており、
前記開口スロット（５０２）の二つの側面に対応する前記回転シャフト（５）の外面には、切り欠き状の細長いスロット孔（５０３）が形成されており、
爪（５０２ａ）が、前記開口スロット（５０２）の切り欠きから突出しており、
前記回転シャフト（５）の回転工程において、前記爪（５０２ａ）を、前記上側カバー（１）の内側側面から延設される制限突出ブロック（１０１）によって係止することができ、
前記レバー（３）は、レバー・ハンドル（３０１）とレバー・ディスク（３０２）とを備えており、
駆動フィンガー（３０２ａ）が、前記レバー・ディスク（３０２）の下面から延設されるとともに、前記回転シャフト（５）の前記内部空洞部の前記溝（５０１）へと挿入されており、
前記レバー・ディスク（３０２）の外縁面には凸状壁（３０２ｂ）が配置されており、
前記レバー・ハンドル（３０１）は、前記上側カバー（１）の貫通孔から延設されるとともにハンドル（６）へ挿入されている回転式スイッチの動作機構。
【請求項２】
請求項１に記載の回転式スイッチの動作機構であって、
前記レバー（３）は、前記ハンドル（６）の駆動を受けて回転することができ、
回転工程において、前記凸状壁（３０２ｂ）は、前記爪（５０２ａ）を前記切り欠き状の細長いスロット孔（５０３）に向かって引っ込めるよう押圧することができる回転式スイッチの動作機構。
【請求項３】
請求項１に記載の回転式スイッチの動作機構であって、前記上側カバー（１）と前記装着基部（２）とは一体的に固定される回転式スイッチの動作機構。
【請求項４】
請求項１に記載の回転式スイッチの動作機構であって、
円弧状バネを構成するよう前記回転シャフト（５）の前記内部空洞部に装着される二つのバネ（４）が備えられており、
前記ストッパー（５０１ａ）は、前ストッパー（５０１ａ０１）および後ストッパー（５０１ａ０２）を備えており、二つのバネ（４）の前端部および後端部は、前記前ストッパー（５０１ａ０１）および前記後ストッパー（５０１ａ０２）とそれぞれ当接する回転式スイッチの動作機構。
【請求項５】
請求項１に記載の回転式スイッチの動作機構であって、
前記爪（５０２ａ）にはガイド・ベベル（５０２ａ０１）が配置されており、
前記凸状壁（３０２ｂ）は、前記ガイド・ベベル（５０２ａ０１）に沿って前記爪（５０２ａ）を押圧することができる回転式スイッチの動作機構。
【請求項６】
請求項１に記載の回転式スイッチの動作機構であって、二つのバネ（４）が配置される円弧状溝（５０１）に別々に挿入される二つの駆動フィンガー（３０２ａ）が備えられている回転式スイッチの動作機構。
【発明の詳細な説明】
【技術分野】
【０００１】
背景
本発明はスイッチ技術の分野に関連し、特に本発明は回転式スイッチの動作機構に関する。
【０００２】
関連技術
語スイッチは、スイッチを入れたりスイッチを切ったりするものとして説明する。それは、回路を開くことができる、電流を遮断することができる、または電流を他の回路に流れさせることができる要素をいう。最も一般的なスイッチは、人によって操作される電気・機械的装置である。スイッチには一つ以上の接点がある。接点が「閉じている」とは、接触が行われ、電流が流れることができることを意味する。また、接点が「開いている」とは、接触が行われず、開路が形成されており、電流が流れることができないことを意味する。スイッチの開発の歴史は、手動操作を必要とする初期のナイフスイッチから、種々の大規模電気制御装置に適用される電流インテリジェントスイッチへと発展した。スイッチの機能が多くほどより高いセキュリティを示す。回転式スイッチは、回転式動作装置の特定状態に対応する特定の位置に回転式動作器をロックすることによって、回転式動作装置が権限なく操作されることを防止する通常のスイッチである。しかしながら、回転式動作器が安全な位置にロックされており、回転式動作装置の動作部が対応する所望の状態でない場合、危険な状況が生じることがある。例えば、固定電気接点とシャフト上に装着される回転式電気接点とを有するある回転式の電気スイッチにおいて、接点は「接続」状態に溶接されていても、回転式動作器はそれでもシャフトのねじれを用いることにより回転する場合があり、そして回転式動作器は非接続状態に対応する位置にロックされる。したがって、スイッチは、「非接続」であるように見えるが、実際には回路はまだ「接続」されている。他のタイプの回転式の動作装置とロータリーバルブもまた同様に、被操作対象の実際位置は、動作器の位置によって示された対象位置に対応しない場合がある。
【０００３】
表示された位置が回転式スイッチの先の動作機構における回路の実際のオン・オフ状態と一致しない場合を回避するために、現在の多くのスイッチにおいては、スイッチ動作機構の不安定条件を制限するよう、回転式の装置の実際位置がロックされる。例えば、中国特許出願公開第１０１９０１０２１号明細書（ＣＮ１０１９０１０２１Ａ）に、グリップ部材とスピンドル部材と動作器本体部材とを有する回転式動作器アッセンブリが開示されている。スピンドル部材は、動作回転軸回りに動作器本体部材に対して回転可能となるよう、動作器本体部材に取り付けられている。グリップ部材は、スピンドル部材と動作器本体部材とに平行移動可能に連結され、動作器本体部材に対する第一平行移動位置と第二平行移動位置との間で平行移動可能である。グリップ部材および動作器本体部材は、第一位置においては動作回転軸回りに動作器本体部材に対するグリップ部材の回転を阻止するとともに、第二位置においては動作回転軸回りに動作器本体部材に対するグリップ部材の第一角度位置から第二角度位置への回転を可能にするための協働手段を有する。グリップ部材は、少なくとも第二平行移動位置においてスピンドル部材と機能的に連結されるように構成される。そしてグリップ部材は、第一角度位置において第一平行移動位置と第二平行移動位置との間のグリップ部材の平行移動を防止するためにスピンドル部材の少なくとも一つの部分と協働する少なくとも一つの部分を有する。この回転式装置は、回転機構の実際位置をロックする機能を有するが、ロックにはさらに対応するロック装置を追加することにより達成されるので、製品の体積および生産コストは増加する。また、ロック機能部品は開閉部材と関連付けられる。このことは、保守と取り替えに関して不便である。
【０００４】
要約
本発明の目的は、回転式スイッチの動作機構の実際位置ロック装置を回転式スイッチの構造的な形状を変更することにより直接実装するよう回転式スイッチの既存の動作機構の実際位置ロック装置を別に配置する必要があるという技術的欠点に対して、回転式スイッチの体積を低減するとともに回転式スイッチの生産コストを下げることができる回転式スイッチの動作機構を提供することにある。
【０００５】
技術的解決手段
先の技術的な目的を達成するために、本発明は、上側カバーと装着基部とレバーとバネと回転シャフトとを備える回転式スイッチの動作機構を設計する。回転シャフトは、装着基部の回転シャフト取り付け溝に装着されるとともに、回転シャフト取り付け溝において回転可能である。バネは、回転シャフトの内部空洞部の溝に装着される。バネの端部は、溝におけるストッパーと当接する。回転シャフトの上端面には開口スロットが形成される。開口スロットの二つの側面に対応する回転シャフトの外面には、切り欠き状の細長いスロット孔が形成される。爪が、開口スロットの切り欠きから突出する。回転シャフトの回転工程において、爪を、上側カバーの内側側面から延設される制限突出ブロックによって係止することができる。レバーは、レバー・ハンドルとレバー・ディスクとを備える。駆動フィンガーが、レバー・ディスクの下面から延設されるとともに、回転シャフトの内部空洞部の溝へと挿入される。レバー・ディスクの外縁面には凸状壁が配置されている。レバー・ハンドルは、上側カバーの貫通孔から延設されるとともにハンドルへ挿入される。
【０００６】
さらに、レバーは、ハンドルの駆動を受けて回転することができる。回転工程において、凸状壁は、爪を切り欠き状の細長いスロット孔に向かって引っ込めるよう押圧することができる。
【０００７】
さらに、上側カバーと装着基部とは一体的に固定される。
さらに、円弧状バネを構成するよう回転シャフトの内部空洞部に装着される二つのバネが備えられる。ストッパーは、前ストッパーおよび後ストッパーを備える。二つのバネの前端部および後端部は、前ストッパーおよび後ストッパーとそれぞれ当接する。
【０００８】
さらに、爪にはガイド・ベベルが配置される。凸状壁は、ガイド・ベベルに沿って爪を押圧することができる。
さらに、二つのバネが配置される円弧状溝に別々に挿入される二つの駆動フィンガーが備えられる。
【０００９】
有用な効果
本発明において提供される回転式スイッチの動作機構によって、回転式スイッチの動作機構の実際位置ロック装置を回転式スイッチの構造的な形状を変更することにより、回転式スイッチの体積を低減するとともに回転式スイッチの生産コストを下げることができる。
図面の簡単な説明
【００１０】
図１は、本発明の実施形態の概略的な構造図である。
図２は、本発明の実施形態の概略的な分解組立図である。
図３は、本発明の実施形態における爪ロック構造の概略図である。
図４は、本発明の実施形態における装着基部の概略的な構造図である。
図５は、本発明の実施形態における上側カバーの概略的な構造図である。
図６は、本発明の実施形態におけるレバーの概略的な構造図である。
図７は、本発明の実施形態におけるレバーの正面図である。
図８は、本発明の実施形態におけるレバーの左側図である。
図９は、本発明の実施形態における回転シャフトの概略的な構造図である。
図１０は、本発明の実施形態における回転シャフトの正面図である。
図１１は、本発明の実施形態におけるハンドルの概略的な構造図である。
【００１１】
詳細な説明
本発明を、添付図面および実施形態を参照して以下に詳細に説明する。
【００１２】
実施形態
図１および図２に示す通り、本発明において提供する回転式スイッチの動作機構は、上側カバー１と装着基部２とレバー３とバネ４と回転シャフト５を有する。上側カバー１と前記装着基部２とは一体的に固定される。図３および図４を参照して、回転シャフト５は、装着基部２の回転シャフト取り付け溝２０１に装着されるとともに、回転シャフト取り付け溝２０１において回転可能である。
【００１３】
次に、図２および図９を参照して、バネ４は、回転シャフト５の内部空洞部の溝５０１に装着される。バネ４の端部は、溝５０１におけるストッパー（停止器）５０１ａと当接する。回転シャフト５の上端面には開口スロット５０２が形成される。開口スロット５０２の二つの側面に対応する回転シャフト５の外面には、水平方向に配置される切り欠き状の細長いスロット孔５０３が形成される。爪５０２ａが、開口スロット５０２の切り欠きから突出する。回転シャフト５の回転工程において、爪５０２ａを、上側カバー１の内側側面から延設される制限突出ブロック１０１によって係止することができる（図３および図５参照）。切り欠き状の細長いスロット孔５０３の隙間により、爪５０２ａが下向き圧力によって押圧されると爪５０２ａが下方に移動し下方へと引っ込むことができる。
【００１４】
図６および図７を参照して、レバー（槓桿）３は、レバー・ハンドル（柄部分）３０１とレバー・ディスク（円板部分）３０２とを備える。駆動フィンガー３０２ａが、レバー・ディスク３０２の下面から延設されるとともに、回転シャフト５の内部空洞部の対応する溝５０１へと挿入可能である。レバー・ディスク３０２の外縁面には凸状壁３０２ｂが配置される。レバー・ハンドル３０１は、上側カバー１の貫通孔から延設されるとともにハンドル（把手）６へ挿入される。本実施形態において、二つの凸状壁３０２ｂが備えられ、レバー３が回転シャフト５に対して回転するとき爪５０２ａの案内（ガイド）ベベル５０２ａ０１に沿って摺動することができ、そして切り欠き状の細長いスロット孔５０３に向かって引っ込むよう爪５０２ａをさらに押圧することができるよう、開口スロット５０２の二つの側にそれぞれ配置される。
【００１５】
本実施形態において、円弧状バネを構成するよう回転シャフト５の内部空洞部に装着される二つのバネ４が備えられる。また、ストッパー５０１ａは、前ストッパー５０１ａ０１および後ストッパー５０１ａ０２を備えており、二つのバネ４の前端部および後端部は、前ストッパー５０１ａ０１および後ストッパー５０１ａ０２とそれぞれ当接する（図９参照）。また、駆動フィンガー３０２ａの数は二つである。二つの駆動フィンガー３０２ａは、二つのバネ４が配置される円弧状の溝５０１へ別々に挿入される（図６および図８を参照）。レバー３は、レバー３の回転の際に一体に回転させるよう、回転シャフト５を回す（駆動する）。
【００１６】
本発明の作用工程では、ハンドル６はレバー３を回転するよう駆動し、レバー３の下端は回転シャフト５と装着基部２の貫通孔とを用いることにより、スイッチの実行機構に接続され、レバー３の回転工程において、凸状壁３０２ｂは、爪５０２ａを切り欠き状の細長いスロット孔５０３に向かって引っ込めるよう、爪５０２ａのガイド・ベベル５０２ａ０１に沿って、押圧することができ、こうして、爪５０２ａは制限突出ブロック１０１による係止状態から解放され、そして、レバー３はバネ４を回転し圧縮する。レバー３が特定位置に回転した後、回転シャフト５は圧縮された圧縮ばね４の効果によって回転し、そして爪５０２ａは制限突出ブロック１０１によって再び係止されて、位置のロック（一時固定）が実現する。
【００１７】
本発明において提供される回転式スイッチの動作機構によって、回転式スイッチの動作機構の実際位置ロック装置を回転式スイッチの構造的な形状を変更することにより、回転式スイッチの体積を低減するとともに回転式スイッチの生産コストを下げることができる。
【００１８】
この実施形態の図面に示した構造、比率、サイズ等は、明細書において開示する内容を当業者が理解し読みやすいように明確にするためにのみ用いたのであって、本発明の実現のための制約条件を制限することを意図しない。したがって技術的に不可欠な意味ではない。本発明によって得られる効果および本発明によって達成される目的に影響を与えることがないあらゆる構造的変形、比率関係の変更、またはサイズの調整は、やはり、本発明において開示された技術的な内容の範囲内である。さらに、明細書において用いる「上方」、「下方」、「左」、「右」、「中央」、「時計回り」、「反時計回り」などの語は説明を分かりやすくするためのものであり、本発明の実施範囲を制限することを意図しない。技術的な内容を基本的に変更することのない相対的な関係の変更または調整も本発明の実施の範囲内にあることを記載しておく。
【図１】
2019507949.tif 000003
【図２】
2019507949.tif 000004
【図３】
2019507949.tif 000005
【図４】
2019507949.tif 000006
【図５】
2019507949.tif 000007
【図６】
2019507949.tif 000008
【図７】
2019507949.tif 000009
【図８】
2019507949.tif 000010
【図９】
2019507949.tif 000011
【図１０】
2019507949.tif 000012
【図１１】
2019507949.tif 000013
【国際調査報告】
2019507949.tif 000014
2019507949.tif 000015
2019507949.tif 000016
2019507949.tif 000017